(57)【要約】【課題】本発明は手持ち式の家庭用のＰＰＲ給水管の自動でホットメルト接合設備を開示した。【解決手段】ホットメルト接合箱を含み、前記ホットメルト接合箱の中にはホットメルト接合チャンバが設置され、前記ホットメルト接合チャンバの中には給水管を挟め、且つ給水管を管継手と接合することができる二つの昇降駆動装置が上下対称的に設置され、前記ホットメルト接合チャンバの中には上下対称であり、且つ前記昇降駆動装置の右側に位置している二つの前方ソケット開閉装置が設置され、且つ前記前方ソケット開閉装置の右側に位置している二つの後方ソケット開閉装置が設置され、本発明は家庭用の給水管を自動的にホットメルトで接合することを実現でき、それによって作業員の経験への要求を下げ、効果的に作業員にやけどをするリスクを減少し、同時にホットメルト接合の質の安定性を高める。【選択図】図１
2020203472.tif 000002
【特許請求の範囲】
【請求項１】
正面視で、ホットメルト接合箱を含み、
前記ホットメルト接合箱の中にはホットメルト接合チャンバが設置され、前記ホットメルト接合チャンバの中には給水管を挟め、且つ給水管を管継手と接合することができる二つの昇降駆動装置が上下対称的に設置され、前記ホットメルト接合チャンバの中には上下対称であり、且つ前記昇降駆動装置の右側に位置している二つの前方ソケット開閉装置が設置され、前記前方ソケット開閉装置は前記ホットメルト接合チャンバの中にスライドできるように連結されたラックスライダと、前記ラックスライダにヒンジで連結されたスライダロッドと、前記スライダロッドにヒンジで連結された揺れロッドと、前記ラックスライダが左右にスライドすることによって前記スライダロッドと前記揺れロッドとを回転連動させることによって前方ソケットの開閉動作を実現し、
前記ホットメルト接合チャンバの中には上下対称であり、且つ前記前方ソケット開閉装置の右側に位置している二つの後方ソケット開閉装置が設置され、前記後方ソケット開閉装置は前記ホットメルト接合チャンバの中にスライドできるように連結された連動スライダと、前記連動スライダにヒンジで連結されたコンロッドと、前記コンロッドにヒンジで連結されたスライダと、前記連動スライダが左右にスライドすることによって前記コンロッドを通して前記スライダを左右にスライド連動させて後方ソケットの開閉動作を実現し、前記昇降駆動装置の中には内輪が外輪を回転連動させることができ、しかし外輪が内輪を回転連動させることができない回転送り込み装置が設置されていることを特徴とする手持ち式の家庭用のＰＰＲ給水管の自動でホットメルト接合設備。
【請求項２】
前記ホットメルト接合チャンバの左右両側内壁にはそれぞれ左右に貫通した送り込み口が設置され、前記ホットメルト接合チャンバの下側端面にはグリップが固定的に連結されていることを特徴とする請求項１に記載の手持ち式の家庭用のＰＰＲ給水管の自動でホットメルト接合設備。
【請求項３】
上側の前記昇降駆動装置を例とし、前記昇降駆動装置は前記ホットメルト接合チャンバの上側内壁に固定的に連結された伸縮箱を含み、前記伸縮箱の中には下方に開口した伸縮チャンバが設置され、前記伸縮チャンバの中には長スライダがスライドできるように連結され、前記長スライダと前記伸縮チャンバの上側内壁との間には伸縮ばねが連結され、前記長スライダの下側端面には回転輪ロッドが固定的に連結され、前記回転輪ロッドの後側端面には前後方向に伸びる回転輪軸が回転できるように連結され、前記回転輪軸には前記回転輪ロッドの後側に位置している摩擦輪が固定的に連結され、前記長スライダの下側端面には前記回転輪ロッドの後側に位置している長ロッドが固定的に連結され、前記ホットメルト接合チャンバの後側内壁には前記長ロッドの下端と固定的に連結されたスライドモーターベースがスライドできるように連結され、前記ホットメルト接合チャンバの中には前後方向に伸びるモーター軸が回転できるように連結され、前記モーター軸には前記スライドキャリエジに固定的に連結されたモーターが動力が伝達できるように連結され、前記モーター軸には前記モーターの前側に位置しているギヤが固定的に連結され、前記モーター軸には前記ギヤと前記摩擦輪との間に位置している前記回転送り込み装置が設置されていることを特徴とする請求項１に記載の手持ち式の家庭用のＰＰＲ給水管の自動でホットメルト接合設備。
【請求項４】
上側の前記前方ソケット開閉装置を例とし、前記前方ソケット開閉装置は前記ホットメルト接合チャンバの上側内壁に固定的に連結され、且つ前記伸縮箱の右側に位置しているスライド台を含み、前記スライド台の下側端面と前記ラックスライダとがスライドできるように連結され、前記スライド台の下側端面には前記ラックスライダの左側に位置している復帰ブロックがスライドできるように連結され、前記復帰ブロックの左側端面と前記伸縮箱の右側端面との間には復帰ばねが連結され、前記ラックスライダの下側端面には固定ロッドが固定的に連結され、
前記固定ロッドの中には下方に開口したスライドチャンバが設置され、前記スライドチャンバの中には伸縮ロッドがスライドできるように連結され、前記伸縮ロッドと前記スライドチャンバの上側内壁と間にはばねが連結され、前記伸縮ロッドの下端には前記ギヤと噛み合うように連結されたラックが固定的に連結され、前記スライド台と前記揺れロッドとが回転できるように連結され、且つ回転できるように連結されたところが前記ラックスライダの上側に位置しており、前記スライダロッドと前記揺れロッドの中端とがヒンジで連結され、前記スライド台の右側端面には外側ソケットロッドがスライドできるように連結され、前記外側ソケットロッドには前記揺れロッドとスライドできるように連結された回転ブロックがヒンジで連結され、前記外側ソケットロッドの下端には給水管にホットメルトを行える外ホットメルトソケットが取り外されることができるように連結されていることを特徴とする請求項１又は請求項３に記載の手持ち式の家庭用のＰＰＲ給水管の自動でホットメルト接合設備。
【請求項５】
前記ばねと前記スライドチャンバとによって前記ラックが前記長スライダと共に上下に移動することを実現できることを特徴とする請求項４に記載の手持ち式の家庭用のＰＰＲ給水管の自動でホットメルト接合設備。
【請求項６】
上側前記後方ソケット開閉装置を例とし、前記後方ソケット開閉装置は前記ホットメルト接合チャンバの上側内壁に固定的に連結された昇降箱を含み、前記昇降箱の中には斜面がある斜面チャンバが設置され、前記斜面チャンバの上側内壁には上方に開口した位置制限孔が設置され、前記斜面チャンバの下側内壁には下方に開口したスライド溝が形成されており、前記斜面チャンバの下側端面と前記連動スライダとがスライドできるように連結され、前記連動スライダには回転ロッドがヒンジで連結され、前記回転ロッドのもう一端と前記外側ソケットロッドとがヒンジで連結され、且つヒンジで連結されたところが前記回転ブロックの上側に位置しており、前記連動スライダと前記コンロッドとがヒンジで連結されたところは前記回転ロッドと前記連動スライダとのヒンジで連結されたところの右側に位置しており、前記コンロッドのもう一端と前記スライダとがヒンジで連結され、前記スライダと前記斜面チャンバの下側内壁とがスライドできるように連結され、前記スライダの上側端面には回転棒状体が回転できるように連結され、前記回転棒状体と前記スライダとが回転できるように連結されたところにはトーションばねが設置され、前記スライダの下側端面には前記斜面チャンバの下側端面の外側に伸びており、且つ前記スライド溝とスライドできるように連結された内側ソケットロッドが固定的に連結され、前記内側ソケットロッドの下端には内側ホットメルトソケットが取り外されることができるように連結されていることを特徴とする請求項１又は請求項３に記載の手持ち式の家庭用のＰＰＲ給水管の自動でホットメルト接合設備。
【請求項７】
前記斜面チャンバの下側内壁は下側平面と、上側平面と、過渡斜面とによって構成され、それによって内側ホットメルトソケットが管継手から離脱した後に広がる動作を行い、前記回転棒状体が前記位置制限孔と当接できることによって前記内側ホットメルトソケットの移動を制限し、前記トーションバネが前記復帰ばねより硬いことを特徴とする請求項６に記載の手持ち式の家庭用のＰＰＲ給水管の自動でホットメルト接合設備。
【請求項８】
前記回転送り込み装置は前記モーター軸と固定的に連結され、且つ前記ギヤの前側に位置している駆動輪を含み、前記駆動輪の中には八つの歯止めチャンバが環状になるように配列され、前記歯止めチャンバの中には歯止めが回転できるように連結され、前記歯止めのうち対称中心に近接した片側と前記歯止めチャンバのうち中心に近接した片側内壁との間には引っ張りばねが連結され、前記回転輪軸には前記摩擦輪の後側に位置している回転輪が固定的に連結され、前記回転輪の中には後方に開口しており、且つ円柱形である回転輪チャンバが設置され、前記回転輪には八つの後方に開口しており、且つ前記回転輪チャンバと連通している歯型溝が環状になるように形成されていることを特徴とする請求項１又は請求項３に記載の手持ち式の家庭用のＰＰＲ給水管の自動でホットメルト接合設備。
【請求項９】
前記駆動輪が回転する時、遠心力が前記歯止めを前記歯止めチャンバの外部に位置するまで回転させ、且つ前記歯型溝と当接させ、それによって前記回転輪を回転連動させ、前記駆動輪が静止状態にある時、前記回転輪が回転して前記歯止めと当接できないことを特徴とする請求項８に記載の手持ち式の家庭用のＰＰＲ給水管の自動でホットメルト接合設備。
【発明の詳細な説明】
【技術分野】
【０００１】
本発明は家庭用の給水管の自動的にホットメルト接合技術分野に関わり、具体的には手持ち式の家庭用のＰＰＲ給水管の自動でホットメルト接合設備である。
【背景技術】
【０００２】
ＰＰＲ（ランダムコポリマー）パイプは環境に優しく、耐食で、使用寿命が長く、良いホットメルト接合性能を持ち、装着が簡単であるという利点を持ち、高温で使用される条件で良い長期クリープ防止性能又は受圧性能を持ち、そのために家庭用のパイプの市場で快速に発展でき、工業及び居住用建物の中の生活用水分野に広く応用され、ＰＰＲ給水管はホットメルト接合技術を用い、現在家庭用のＰＰＲパイプのホットメルト接合は全部人為的な操作によって完成し、具体的な過程は接合を待つ給水管と管継手とをそれぞれホットメルト機の両側の鋳型に入れて加熱し、その後、加熱された給水管と管継手とを鋳型から抜き取って早く回して差し込んで接合し、給水管への加熱時間に厳密な制限があるため、加熱時間は短すぎるとしっかりと接合しないために水が漏れ、加熱時間が長すぎると管外径が収縮して正常に給水することに影響し、また早く回転しなくて差し込んで接合する必要があり、そのため、経験豊富な作業員によって作業しなければならなく、同時にホットメルト機の加熱鋳型が外部に露出して作業員にやけどをするリスクがあり、本発明は上記の問題を解決できる設備を開示する。
【先行技術文献】
【特許文献】
【０００３】
【特許文献１】中国特許出願公開第１０２１８７９２９号明細書
【発明の概要】
【発明が解決しようとする課題】
【０００４】
技術問題：現在、ＰＰＲ給水管のホットメルト接合は主に人為的な作業で完成し、作業員の豊富な作業経験が必要であって作業員にやけどをするリスクがある。
【課題を解決するための手段】
【０００５】
上記の問題を解決するため、本発明は手持ち式の家庭用のＰＰＲ給水管の自動でホットメルト接合設備をデザインし、本発明に説明した手持ち式の家庭用のＰＰＲ給水管の自動でホットメルト接合設備は、ホットメルト接合箱を含み、前記ホットメルト接合箱の中にはホットメルト接合チャンバが設置され、前記ホットメルト接合チャンバの中には給水管を挟め、且つ給水管を管継手と接合することができる二つの昇降駆動装置が上下対称的に設置され、前記ホットメルト接合チャンバの中には上下対称であり、且つ前記昇降駆動装置の右側に位置している二つの前方ソケット開閉装置が設置され、前記前方ソケット開閉装置は前記ホットメルト接合チャンバの中にスライドできるように連結されたラックスライダと、前記ラックスライダにヒンジで連結されたスライダロッドと、前記スライダロッドにヒンジで連結された揺れロッドと、前記ラックスライダが左右にスライドすることによって前記スライダロッドと前記揺れロッドとを回転連動させることによって前方ソケットの開閉動作を実現し、前記ホットメルト接合チャンバの中には上下対称であり、且つ前記前方ソケット開閉装置の右側に位置している二つの後方ソケット開閉装置が設置され、前記後方ソケット開閉装置は前記ホットメルト接合チャンバの中にスライドできるように連結された連動スライダと、前記連動スライダにヒンジで連結されたコンロッドと、前記コンロッドにヒンジで連結されたスライダと、前記連動スライダが左右にスライドすることによって前記コンロッドを通して前記スライダを左右にスライド連動させて後方ソケットの開閉動作を実現し、前記昇降駆動装置の中には内輪が外輪を回転連動させることができ、しかし外輪が内輪を回転連動させることができない回転送り込み装置が設置されている。
【０００６】
好ましくは、前記ホットメルト接合チャンバの左右両側内壁にはそれぞれ左右に貫通した送り込み口が設置され、ホットメルトによる接合される給水管と管継手とがそれぞれ左側と右側の前記送り込み口を通して前記ホットメルト接合チャンバの中に伸びており、前記ホットメルト接合チャンバの下側端面にはグリップが固定的に連結されている。
【０００７】
上側の前記昇降駆動装置を例とし、前記昇降駆動装置は前記ホットメルト接合チャンバの上側内壁に固定的に連結された伸縮箱を含み、前記伸縮箱の中には下方に開口した伸縮チャンバが設置され、前記伸縮チャンバの中には長スライダがスライドできるように連結され、前記長スライダと前記伸縮チャンバの上側内壁との間には伸縮ばねが連結され、前記長スライダの下側端面には回転輪ロッドが固定的に連結され、前記回転輪ロッドの後側端面には前後方向に伸びる回転輪軸が回転できるように連結され、前記回転輪軸には前記回転輪ロッドの後側に位置している摩擦輪が固定的に連結され、前記長スライダの下側端面には前記回転輪ロッドの後側に位置している長ロッドが固定的に連結され、前記ホットメルト接合チャンバの後側内壁には前記長ロッドの下端と固定的に連結されたスライドモーターベースがスライドできるように連結され、前記ホットメルト接合チャンバの中には前後方向に伸びるモーター軸が回転できるように連結され、前記モーター軸には前記スライドキャリエジに固定的に連結されたモーターが動力が伝達できるように連結され、前記モーター軸には前記モーターの前側に位置しているギヤが固定的に連結され、前記モーター軸には前記ギヤと前記摩擦輪との間に位置している前記回転送り込み装置が設置されている。
【０００８】
上側の前記前方ソケット開閉装置を例とし、前記前方ソケット開閉装置は前記ホットメルト接合チャンバの上側内壁に固定的に連結され、且つ前記伸縮箱の右側に位置しているスライド台を含み、前記スライド台の下側端面と前記ラックスライダとがスライドできるように連結され、前記スライド台の下側端面には前記ラックスライダの左側に位置している復帰ブロックがスライドできるように連結され、前記復帰ブロックの左側端面と前記伸縮箱の右側端面との間には復帰ばねが連結され、前記ラックスライダの下側端面には固定ロッドが固定的に連結され、前記固定ロッドの中には下方に開口したスライドチャンバが設置され、前記スライドチャンバの中には伸縮ロッドがスライドできるように連結され、前記伸縮ロッドと前記スライドチャンバの上側内壁と間にはばねが連結され、前記伸縮ロッドの下端には前記ギヤと噛み合うように連結されたラックが固定的に連結され、前記スライド台と前記揺れロッドとが回転できるように連結され、且つ回転できるように連結されたところが前記ラックスライダの上側に位置しており、前記スライダロッドと前記揺れロッドの中端とがヒンジで連結され、前記スライド台の右側端面には外側ソケットロッドがスライドできるように連結され、前記外側ソケットロッドには前記揺れロッドとスライドできるように連結された回転ブロックがヒンジで連結され、前記外側ソケットロッドの下端には給水管にホットメルトを行える外側ホットメルトソケットが取り外されることができるように連結されている。
【０００９】
好ましくは、前記ばねと前記スライドチャンバとによって前記ラックが前記長スライダと共に上下に移動することを実現でき、それによって前記ラックが前記ギヤと始終噛み合っている。
【００１０】
上側前記後方ソケット開閉装置を例とし、前記後方ソケット開閉装置は前記ホットメルト接合チャンバの上側内壁に固定的に連結された昇降箱を含み、前記昇降箱の中には斜面がある斜面チャンバが設置され、前記斜面チャンバの上側内壁には上方に開口した位置制限孔が設置され、前記斜面チャンバの下側内壁には下方に開口したスライド溝が形成されており、前記斜面チャンバの下側端面と前記連動スライダとがスライドできるように連結され、前記連動スライダには回転ロッドがヒンジで連結され、前記回転ロッドのもう一端と前記外側ソケットロッドとがヒンジで連結され、且つヒンジで連結されたところが前記回転ブロックの上側に位置しており、前記連動スライダと前記コンロッドとがヒンジで連結されたところは前記回転ロッドと前記連動スライダとのヒンジで連結されたところの右側に位置しており、前記コンロッドのもう一端と前記スライダとがヒンジで連結され、前記スライダと前記斜面チャンバの下側内壁とがスライドできるように連結され、前記スライダの上側端面には回転棒状体が回転できるように連結され、前記回転棒状体と前記スライダとが回転できるように連結されたところにはトーションばねが設置され、前記スライダの下側端面には前記斜面チャンバの下側端面の外側に伸びており、且つ前記スライド溝とスライドできるように連結された内側ソケットロッドが固定的に連結され、前記内側ソケットロッドの下端には内側ホットメルトソケットが取り外されることができるように連結されている。
【００１１】
好ましくは、前記斜面チャンバの下側内壁は下側平面と、上側平面と、過渡斜面とによって構成され、それによって内側ホットメルトソケットが管継手から離脱した後に広がる動作を行い、前記回転棒状体が前記位置制限孔と当接できることによって前記内側ホットメルトソケットの移動を制限し、前記トーションバネが前記復帰ばねより硬い。
【００１２】
前記回転送り込み装置は前記モーター軸と固定的に連結され、且つ前記ギヤの前側に位置している駆動輪を含み、前記駆動輪の中には八つの歯止めチャンバが環状になるように配列され、前記歯止めチャンバの中には歯止めが回転できるように連結され、前記歯止めのうち対称中心に近接した片側と前記歯止めチャンバのうち中心に近接した片側内壁との間には引っ張りばねが連結され、前記回転輪軸には前記摩擦輪の後側に位置している回転輪が固定的に連結され、前記回転輪の中には後方に開口しており、且つ円柱形である回転輪チャンバが設置され、前記回転輪には八つの後方に開口しており、且つ前記回転輪チャンバと連通している歯型溝が環状になるように形成されている。
【００１３】
好ましくは、前記駆動輪が回転する時、遠心力が前記歯止めを前記歯止めチャンバの外部に位置するまで回転させ、且つ前記歯型溝と当接させ、それによって前記回転輪を回転連動させ、前記駆動輪が静止状態にある時、前記回転輪が回転して前記歯止めと当接できなく、その故、前記駆動輪を回転連動させることができない。
【発明の効果】
【００１４】
本発明の有益な効果は：本発明は手持ち式の家庭用のＰＰＲ給水管の自動でホットメルト接合設備であり、設備の内部に加熱鋳型を設置することによって、作業員にやけどをするリスクを減少し、管具を加熱し終わった後、自動的に管具差し込み連結装置を始動して複合回転輪によって加熱された給水管と管継手とを速く回転させないで差し込んで連結し、鋳型離脱装置と管具差し込み連結装置とが連動し、それによって給水管と管継手とを差し込んで連結する過程に、鋳型離脱装置は鋳型を連動させて自動的に給水管と管継手とから離れさせ、それによって鋳型が差し込んで連結する過程を止めることを避け、従って、本発明は家庭用の給水管を自動的にホットメルトで接合することを実現でき、それによって作業員の経験への要求を下げ、効果的に作業員にやけどをするリスクを減少し、同時にホットメルト接合の質の安定性を高める。
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の手持ち式の家庭用のＰＰＲ給水管の自動でホットメルト接合設備の全体構造略図
【図２】図２は図１の「ＡーＡ」方向の構造略図
【図３】図３は図１の「ＢーＢ」方向の構造略図
【図４】図４は図２の「ＣーＣ」方向の構造略図
【図５】図５は図１の「ＤーＤ」方向の構造略図
【図６】図６は図１の「Ｅ」のところの構造拡大略図
【図７】図７は図１の「Ｆ」のところの構造拡大構造略図
【発明を実施するための形態】
【００１７】
本発明は手持ち式の家庭用のＰＰＲ給水管の自動でホットメルト接合設備に関わり、主に家庭用のＰＰＲ給水管を自動的にホットメルト接合することに応用され、下記に本発明付図を合わせて本発明にさらなる説明を行う：
本発明に説明した手持ち式の家庭用のＰＰＲ給水管の自動でホットメルト接合設備は、ホットメルト接合箱１１を含み、前記ホットメルト接合箱１１の中にはホットメルト接合チャンバ１２が設置され、前記ホットメルト接合チャンバ１２の中には給水管を挟め、且つ給水管を管継手と接合することができる二つの昇降駆動装置１０１が上下対称的に設置され、前記ホットメルト接合チャンバ１２の中には上下対称であり、且つ前記昇降駆動装置１０１の右側に位置している二つの前方ソケット開閉装置１０２が設置され、前記前方ソケット開閉装置１０２は前記ホットメルト接合チャンバ１２の中にスライドできるように連結されたラックスライダ３４と、前記ラックスライダ３４にヒンジで連結されたスライダロッド３５と、前記スライダロッド３５にヒンジで連結された揺れロッド３３と、前記ラックスライダ３４が左右にスライドすることによって前記スライダロッド３５と前記揺れロッド３３とを回転連動させることによって前方ソケットの開閉動作を実現し、前記ホットメルト接合チャンバ１２の中には上下対称であり、且つ前記前方ソケット開閉装置１０２の右側に位置している二つの後方ソケット開閉装置１０３が設置され、前記後方ソケット開閉装置１０３は前記ホットメルト接合チャンバ１２の中にスライドできるように連結された連動スライダ１９と、前記連動スライダ１９にヒンジで連結されたコンロッド１６と、前記コンロッド１６にヒンジで連結されたスライダ１５と、前記連動スライダ１９が左右にスライドすることによって前記コンロッド１６を通して前記スライダ１５を左右にスライド連動させて後方ソケットの開閉動作を実現し、前記昇降駆動装置１０１の中には内輪が外輪を回転連動させることができ、しかし外輪が内輪を回転連動させることができない回転送り込み装置１０４が設置されている。
【００１８】
有益なように、前記ホットメルト接合チャンバ１２の左右両側内壁にはそれぞれ左右に貫通した送り込み口３１が設置され、ホットメルトによる接合される給水管と管継手とがそれぞれ左側と右側の前記送り込み口３１を通して前記ホットメルト接合チャンバ１２の中に伸びており、前記ホットメルト接合チャンバ１２の下側端面にはグリップ１３が固定的に連結されている。
【００１９】
実施例によって、以下、昇降駆動装置１０１について詳しく説明し、上側の前記昇降駆動装置１０１を例とし、前記昇降駆動装置１０１は前記ホットメルト接合チャンバ１２の上側内壁に固定的に連結された伸縮箱２４を含み、前記伸縮箱２４の中には下方に開口した伸縮チャンバ２２が設置され、前記伸縮チャンバ２２の中には長スライダ２５がスライドできるように連結され、前記長スライダ２５と前記伸縮チャンバ２２の上側内壁との間には伸縮ばね２３が連結され、前記長スライダ２５の下側端面には回転輪ロッド２６が固定的に連結され、前記回転輪ロッド２６の後側端面には前後方向に伸びる回転輪軸２８が回転できるように連結され、前記回転輪軸２８には前記回転輪ロッド２６の後側に位置している摩擦輪４８が固定的に連結され、前記長スライダ２５の下側端面には前記回転輪ロッド２６の後側に位置している長ロッド４４が固定的に連結され、前記ホットメルト接合チャンバ１２の後側内壁には前記長ロッド４４の下端と固定的に連結されたスライドモーターベース４１がスライドできるように連結され、前記ホットメルト接合チャンバ１２の中には前後方向に伸びるモーター軸４３が回転できるように連結され、前記モーター軸４３には前記スライドキャリエジ４１に固定的に連結されたモーター４２が動力が伝達できるように連結され、前記モーター軸４３には前記モーター４２の前側に位置しているギヤ３０が固定的に連結され、前記モーター軸４３には前記ギヤ３０と前記摩擦輪４８との間に位置している前記回転送り込み装置１０４が設置されている。
【００２０】
実施例によって、以下、前方ソケット開閉装置１０２について詳しく説明し、上側の前記前方ソケット開閉装置１０２を例とし、前記前方ソケット開閉装置１０２は前記ホットメルト接合チャンバ１２の上側内壁に固定的に連結され、且つ前記伸縮箱２４の右側に位置しているスライド台２１を含み、前記スライド台２１の下側端面と前記ラックスライダ３４とがスライドできるように連結され、前記スライド台２１の下側端面には前記ラックスライダ３４の左側に位置している復帰ブロック５９がスライドできるように連結され、前記復帰ブロック５９の左側端面と前記伸縮箱２４の右側端面との間には復帰ばね５８が連結され、前記ラックスライダ３４の下側端面には固定ロッド４７が固定的に連結され、前記固定ロッド４７の中には下方に開口したスライドチャンバ４６が設置され、前記スライドチャンバ４６の中には伸縮ロッド３２がスライドできるように連結され、前記伸縮ロッド３２と前記スライドチャンバ４６の上側内壁と間にはばね４５が連結され、前記伸縮ロッド３２の下端には前記ギヤ３０と噛み合うように連結されたラック２７が固定的に連結され、前記スライド台２１と前記揺れロッド３３とが回転できるように連結され、且つ回転できるように連結されたところが前記ラックスライダ３４の上側に位置しており、前記スライダロッド３５と前記揺れロッド３３の中端とがヒンジで連結され、前記スライド台２１の右側端面には外側ソケットロッド３６がスライドできるように連結され、前記外側ソケットロッド３６には前記揺れロッド３３とスライドできるように連結された回転ブロック３７がヒンジで連結され、前記外側ソケットロッド３６の下端には給水管にホットメルトを行える外側ホットメルトソケット３８が取り外されることができるように連結されている。
【００２１】
有益なように、前記ばね４５と前記スライドチャンバ４６とによって前記ラック２７が前記長スライダ２５と共に上下に移動することを実現でき、それによって前記ラック２７が前記ギヤ３０と始終噛み合っている。
【００２２】
実施例によって、以下、後方ソケット開閉装置１０３について詳しく説明し、上側前記後方ソケット開閉装置１０３を例とし、前記後方ソケット開閉装置１０３は前記ホットメルト接合チャンバ１２の上側内壁に固定的に連結された昇降箱５５を含み、前記昇降箱５５の中には斜面がある斜面チャンバ１４が設置され、前記斜面チャンバ１４の上側内壁には上方に開口した位置制限孔１８が設置され、前記斜面チャンバ１４の下側内壁には下方に開口したスライド溝１７が形成されており、前記斜面チャンバ１４の下側端面と前記連動スライダ１９とがスライドできるように連結され、前記連動スライダ１９には回転ロッド２０がヒンジで連結され、前記回転ロッド２０のもう一端と前記外側ソケットロッド３６とがヒンジで連結され、且つヒンジで連結されたところが前記回転ブロック３７の上側に位置しており、前記連動スライダ１９と前記コンロッド１６とがヒンジで連結されたところは前記回転ロッド２０と前記連動スライダ１９とのヒンジで連結されたところの右側に位置しており、前記コンロッド１６のもう一端と前記スライダ１５とがヒンジで連結され、前記スライダ１５と前記斜面チャンバ１４の下側内壁とがスライドできるように連結され、前記スライダ１５の上側端面には回転棒状体５６が回転できるように連結され、前記回転棒状体５６と前記スライダ１５とが回転できるように連結されたところにはトーションばね５７が設置され、前記スライダ１５の下側端面には前記斜面チャンバ１４の下側端面の外側に伸びており、且つ前記スライド溝１７とスライドできるように連結された内側ソケットロッド３９が固定的に連結され、前記内側ソケットロッド３９の下端には内側ホットメルトソケット４０が取り外されることができるように連結されている。
【００２３】
有益なように、前記斜面チャンバ１４の下側内壁は下側平面と、上側平面と、過渡斜面とによって構成され、それによって内側ホットメルトソケット４０が管継手から離脱した後に広がる動作を行い、前記回転棒状体５６が前記位置制限孔１８と当接できることによって前記内側ホットメルトソケット４０の移動を制限し、前記トーションバネ５７が前記復帰ばね５８より硬く、それによって前記回転棒状体５６と前記位置制限孔１８とが当接した後、前記トーションバネ５７が前記ラックスライダ３４を押して装置全体を復帰させることができなく、前記外側ホットメルトソケット３８と前記内側ホットメルトソケット４０を取り外して入れ替えることによって、異なる直径の給水管と対応して連結できる。
【００２４】
実施例によって、以下、回転送り込み装置１０４について詳しく説明し、前記回転送り込み装置１０４は前記モーター軸４３と固定的に連結され、且つ前記ギヤ３０の前側に位置している駆動輪５０を含み、前記駆動輪５０の中には八つの歯止めチャンバ５２が環状になるように配列され、前記歯止めチャンバ５２の中には歯止め５３が回転できるように連結され、前記歯止め５３のうち対称中心に近接した片側と前記歯止めチャンバ５２のうち中心に近接した片側内壁との間には引っ張りばね５４が連結され、前記回転輪軸２８には前記摩擦輪４８の後側に位置している回転輪２９が固定的に連結され、前記回転輪２９の中には後方に開口しており、且つ円柱形である回転輪チャンバ４９が設置され、前記回転輪２９には八つの後方に開口しており、且つ前記回転輪チャンバ４９と連通している歯型溝５１が環状になるように形成されている。
【００２５】
有益なように、前記駆動輪５０が回転する時、遠心力が前記歯止め５２を前記歯止めチャンバ５２の外部に位置するまで回転させ、且つ前記歯型溝５１と当接させ、それによって前記回転輪２９を回転連動させ、前記駆動輪５０が静止状態にある時、前記回転輪２９が回転して前記歯止め５２と当接できなく、その故、前記駆動輪５０を回転連動させることができない。
【００２６】
以下、図１〜７を合わせて本出願の手持ち式の家庭用のＰＰＲ給水管の自動でホットメルト接合設備の使用ステップを詳しく説明する：
【００２７】
はじめの時、上下両側の外側ホットメルトソケット３８と内側ホットメルトソケット４０とが閉められ、スライダ１５が右側の限界位置にあり、通電する時に外側ホットメルトソケット３８と内側ホットメルトソケット４０とを作動温度に加熱する。
【００２８】
作動の時、連結される給水管を左側の送り込み口３１を通して外側ホットメルトソケット３８の内壁に差し込んで連結し、連結される管継手を右側の送り込み口３１を通して内側ホットメルトソケット４０の端面に差し込んで連結し、設定の時間を過ぎた後、モーター４２を起動させ、モーター４２がモーター軸４３によってギヤ３０を回転連動させ、ギヤ３０がラック２７を左方へ移動連動させ、ラック２７が伸縮ロッド３２と固定ロッド４７とによってラックスライダ３４を左方へ移動連動させ、ラックスライダ３４がスライダロッド３５と、揺れロッド３３と、回転ブロック３７とを対称中心から離れた側へ回転連動させ、回転ブロック３７が外側ソケットロッド３６と外側ホットメルトソケット３８とをスライド台２１の右側端面に沿って対称中心から離れた側へ移動連動させ、外側ソケットロッド３６が回転ロッド２０によって連動スライダ１９を左方へ移動連動させ、連動スライダ１９がコンロッド１６によってスライダ１５を左方へ移動連動させ、スライダ１５が内側ホットメルトソケット４０を連動させて管継手の内チャンバから出して対称中心から離れた側へ移動させ、同時にモーター４２がモーター軸４３によって駆動輪５０を回転連動させ、駆動輪５０が歯止め５３によって回転輪２９を回転連動させ、それによって加熱された給水管を右方へ移動連動させて管継手に差し込んで連結し、ホットメルト接合作業が完成し、同時にスライダ１５が左側の限界位置に移動し、また回転棒状体５６が位置制限孔１８と当接して前記ホットメルト接合チャンバ１２の端面の外側に伸び、作業員は回転棒状体５６がホットメルト接合チャンバ１２の外側に伸びるか否かを観察することによってホットメルト接合が完成するか否かを判断でき、ホットメルト接合が完成した後、作業員は給水管に沿ってホットメルト接合装置を給水管から取り出すことができ、回転棒状体５６を回して回転棒状体５６を位置制限孔１８から離脱させ、復帰ばね５８が復帰ブロック５９によってラックスライダ３４を右方へ移動連動させ、それによって装置全体は復帰する。
【００２９】
本発明の有益な効果は：本発明は手持ち式の家庭用のＰＰＲ給水管の自動でホットメルト接合設備であり、設備の内部に加熱鋳型を設置することによって、作業員にやけどをするリスクを減少し、管具を加熱し終わった後、自動的に管具差し込み連結装置を始動して複合回転輪によって加熱された給水管と管継手とを速く回転させないで差し込んで連結し、鋳型離脱装置と管具差し込み連結装置とが連動し、それによって給水管と管継手とを差し込んで連結する過程に、鋳型離脱装置は鋳型を連動させて自動的に給水管と管継手とから離れさせ、それによって鋳型が差し込んで連結する過程を止めることを避け、従って、本発明は家庭用の給水管を自動的にホットメルトで接合することを実現でき、それによって作業員の経験への要求を下げ、効果的に作業員にやけどをするリスクを減少し、同時にホットメルト接合の質の安定性を高める。
【００３０】
上記の方式によって、当業者は本発明の範囲内で作動モードに基づいて様々な変わりを行える。
【図１】
2020203472.tif 000003
【図２】
2020203472.tif 000004
【図３】
2020203472.tif 000005
【図４】
2020203472.tif 000006
【図５】
2020203472.tif 000007
【図６】
2020203472.tif 000008
【図７】
2020203472.tif 000009
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
正面視で、ホットメルト接合箱を含み、
前記ホットメルト接合箱の中にはホットメルト接合チャンバが設置され、前記ホットメルト接合チャンバの中には給水管を挟め、且つ給水管を管継手と接合することができる二つの昇降駆動装置が上下対称的に設置され、前記ホットメルト接合チャンバの中には上下対称であり、且つ前記昇降駆動装置の右側に位置している二つの前方ソケット開閉装置が設置され、前記前方ソケット開閉装置は前記ホットメルト接合チャンバの中にスライドできるように連結されたラックスライダと、前記ラックスライダにヒンジで連結されたスライダロッドと、前記スライダロッドにヒンジで連結された揺れロッドと、前記ラックスライダが左右にスライドすることによって前記スライダロッドと前記揺れロッドとを回転連動させることによって前方ソケットの開閉動作を実現し、
前記ホットメルト接合チャンバの中には上下対称であり、且つ前記前方ソケット開閉装置の右側に位置している二つの後方ソケット開閉装置が設置され、前記後方ソケット開閉装置は前記ホットメルト接合チャンバの中にスライドできるように連結された連動スライダと、前記連動スライダにヒンジで連結されたコンロッドと、前記コンロッドにヒンジで連結されたスライダと、前記連動スライダが左右にスライドすることによって前記コンロッドを通して前記スライダを左右にスライド連動させて後方ソケットの開閉動作を実現し、前記昇降駆動装置の中には内輪が外輪を回転連動させることができ、しかし外輪が内輪を回転連動させることができない回転送り込み装置が設置され、
前記ホットメルト接合チャンバの左右両側内壁にはそれぞれ左右に貫通した送り込み口が設置され、前記ホットメルト接合チャンバの下側端面にはグリップが固定的に連結され、
上側の前記昇降駆動装置を例とし、前記昇降駆動装置は前記ホットメルト接合チャンバの上側内壁に固定的に連結された伸縮箱を含み、前記伸縮箱の中には下方に開口した伸縮チャンバが設置され、前記伸縮チャンバの中には長スライダがスライドできるように連結され、前記長スライダと前記伸縮チャンバの上側内壁との間には伸縮ばねが連結され、前記長スライダの下側端面には回転輪ロッドが固定的に連結され、前記回転輪ロッドの後側端面には前後方向に伸びる回転輪軸が回転できるように連結され、前記回転輪軸には前記回転輪ロッドの後側に位置している摩擦輪が固定的に連結され、前記長スライダの下側端面には前記回転輪ロッドの後側に位置している長ロッドが固定的に連結され、前記ホットメルト接合チャンバの後側内壁には前記長ロッドの下端と固定的に連結されたスライドモーターベースがスライドできるように連結され、前記ホットメルト接合チャンバの中には前後方向に伸びるモーター軸が回転できるように連結され、前記モーター軸には前記スライドモーターベースに固定的に連結されたモーターが動力が伝達できるように連結され、前記モーター軸には前記モーターの前側に位置しているギヤが固定的に連結され、前記モーター軸には前記ギヤと前記摩擦輪との間に位置している前記回転送り込み装置が設置され、
上側の前記前方ソケット開閉装置を例とし、前記前方ソケット開閉装置は前記ホットメルト接合チャンバの上側内壁に固定的に連結され、且つ前記伸縮箱の右側に位置しているスライド台を含み、前記スライド台の下側端面と前記ラックスライダとがスライドできるように連結され、前記スライド台の下側端面には前記ラックスライダの左側に位置している復帰ブロックがスライドできるように連結され、前記復帰ブロックの左側端面と前記伸縮箱の右側端面との間には復帰ばねが連結され、前記ラックスライダの下側端面には固定ロッドが固定的に連結され、前記固定ロッドの中には下方に開口したスライドチャンバが設置され、前記スライドチャンバの中には伸縮ロッドがスライドできるように連結され、前記伸縮ロッドと前記スライドチャンバの上側内壁と間にはばねが連結され、前記伸縮ロッドの下端には前記ギヤと噛み合うように連結されたラックが固定的に連結され、前記スライド台と前記揺れロッドとが回転できるように連結され、且つ回転できるように連結されたところが前記ラックスライダの上側に位置しており、前記スライダロッドと前記揺れロッドの中端とがヒンジで連結され、前記スライド台の右側端面には外側ソケットロッドがスライドできるように連結され、前記外側ソケットロッドには前記揺れロッドとスライドできるように連結された回転ブロックがヒンジで連結され、前記外側ソケットロッドの下端には給水管にホットメルトを行える外ホットメルトソケットが取り外されることができるように連結され、
前記ばねと前記スライドチャンバとによって前記ラックが前記長スライダと共に上下に移動することを実現でき、
上側前記後方ソケット開閉装置を例とし、前記後方ソケット開閉装置は前記ホットメルト接合チャンバの上側内壁に固定的に連結された昇降箱を含み、前記昇降箱の中には斜面がある斜面チャンバが設置され、前記斜面チャンバの上側内壁には上方に開口した位置制限孔が設置され、前記斜面チャンバの下側内壁には下方に開口したスライド溝が形成されており、前記斜面チャンバの下側端面と前記連動スライダとがスライドできるように連結され、前記連動スライダには回転ロッドがヒンジで連結され、前記回転ロッドのもう一端と前記外側ソケットロッドとがヒンジで連結され、且つヒンジで連結されたところが前記回転ブロックの上側に位置しており、前記連動スライダと前記コンロッドとがヒンジで連結されたところは前記回転ロッドと前記連動スライダとのヒンジで連結されたところの右側に位置しており、前記コンロッドのもう一端と前記スライダとがヒンジで連結され、前記スライダと前記斜面チャンバの下側内壁とがスライドできるように連結され、前記スライダの上側端面には回転棒状体が回転できるように連結され、前記回転棒状体と前記スライダとが回転できるように連結されたところにはトーションばねが設置され、前記スライダの下側端面には前記斜面チャンバの下側端面の外側に伸びており、且つ前記スライド溝とスライドできるように連結された内側ソケットロッドが固定的に連結され、前記内側ソケットロッドの下端には内側ホットメルトソケットが取り外されることができるように連結され、
前記斜面チャンバの下側内壁は下側平面と、上側平面と、過渡斜面とによって構成され、それによって内側ホットメルトソケットが管継手から離脱した後に広がる動作を行い、前記回転棒状体が前記位置制限孔と当接できることによって前記内側ホットメルトソケットの移動を制限し、前記トーションバネが前記復帰ばねより硬く、
前記回転送り込み装置は前記モーター軸と固定的に連結され、且つ前記ギヤの前側に位置している駆動輪を含み、前記駆動輪の中には八つの歯止めチャンバが環状になるように配列され、前記歯止めチャンバの中には歯止めが回転できるように連結され、前記歯止めのうち対称中心に近接した片側と前記歯止めチャンバのうち中心に近接した片側内壁との間には引っ張りばねが連結され、前記回転輪軸には前記摩擦輪の後側に位置している回転輪が固定的に連結され、前記回転輪の中には後方に開口しており、且つ円柱形である回転輪チャンバが設置され、前記回転輪には八つの後方に開口しており、且つ前記回転輪チャンバと連通している歯型溝が環状になるように形成され、
前記駆動輪が回転する時、遠心力が前記歯止めを前記歯止めチャンバの外部に位置するまで回転させ、且つ前記歯型溝と当接させ、それによって前記回転輪を回転連動させ、前記駆動輪が静止状態にある時、前記回転輪が回転して前記歯止めと当接できないことを特徴とする手持ち式の家庭用のＰＰＲ給水管の自動でホットメルト接合設備。
【手続補正２】
【補正対象書類名】明細書
【補正対象項目名】全文
【補正方法】変更
【補正の内容】
【発明の詳細な説明】
【技術分野】
【０００１】
本発明は家庭用の給水管の自動的にホットメルト接合技術分野に関わり、具体的には手持ち式の家庭用のＰＰＲ給水管の自動でホットメルト接合設備である。
【背景技術】
【０００２】
ＰＰＲ（ランダムコポリマー）パイプは環境に優しく、耐食で、使用寿命が長く、良いホットメルト接合性能を持ち、装着が簡単であるという利点を持ち、高温で使用される条件で良い長期クリープ防止性能又は受圧性能を持ち、そのために家庭用のパイプの市場で快速に発展でき、工業及び居住用建物の中の生活用水分野に広く応用され、ＰＰＲ給水管はホットメルト接合技術を用い、現在家庭用のＰＰＲパイプのホットメルト接合は全部人為的な操作によって完成し、具体的な過程は接合を待つ給水管と管継手とをそれぞれホットメルト機の両側の鋳型に入れて加熱し、その後、加熱された給水管と管継手とを鋳型から抜き取って早く回して差し込んで接合し、給水管への加熱時間に厳密な制限があるため、加熱時間は短すぎるとしっかりと接合しないために水が漏れ、加熱時間が長すぎると管外径が収縮して正常に給水することに影響し、また早く回転しなくて差し込んで接合する必要があり、そのため、経験豊富な作業員によって作業しなければならなく、同時にホットメルト機の加熱鋳型が外部に露出して作業員にやけどをするリスクがあり、本発明は上記
の問題を解決できる設備を開示する。
【先行技術文献】
【特許文献】
【０００３】
【特許文献１】中国特許出願公開第１０２１８７９２９号明細書
【発明の概要】
【発明が解決しようとする課題】
【０００４】
技術問題：現在、ＰＰＲ給水管のホットメルト接合は主に人為的な作業で完成し、作業員の豊富な作業経験が必要であって作業員にやけどをするリスクがある。
【課題を解決するための手段】
【０００５】
上記の問題を解決するため、本発明は手持ち式の家庭用のＰＰＲ給水管の自動でホットメルト接合設備をデザインし、本発明に説明した手持ち式の家庭用のＰＰＲ給水管の自動でホットメルト接合設備は、ホットメルト接合箱を含み、前記ホットメルト接合箱の中にはホットメルト接合チャンバが設置され、前記ホットメルト接合チャンバの中には給水管を挟め、且つ給水管を管継手と接合することができる二つの昇降駆動装置が上下対称的に設置され、前記ホットメルト接合チャンバの中には上下対称であり、且つ前記昇降駆動装置の右側に位置している二つの前方ソケット開閉装置が設置され、前記前方ソケット開閉装置は前記ホットメルト接合チャンバの中にスライドできるように連結されたラックスライダと、前記ラックスライダにヒンジで連結されたスライダロッドと、前記スライダロッドにヒンジで連結された揺れロッドと、前記ラックスライダが左右にスライドすることによって前記スライダロッドと前記揺れロッドとを回転連動させることによって前方ソケットの開閉動作を実現し、前記ホットメルト接合チャンバの中には上下対称であり、且つ前記前方ソケット開閉装置の右側に位置している二つの後方ソケット開閉装置が設置され、前記後方ソケット開閉装置は前記ホットメルト接合チャンバの中にスライドできるように連結された連動スライダと、前記連動スライダにヒンジで連結されたコンロッドと、前記コンロッドにヒンジで連結されたスライダと、前記連動スライダが左右にスライドすることによって前記コンロッドを通して前記スライダを左右にスライド連動させて後方ソケットの開閉動作を実現し、前記昇降駆動装置の中には内輪が外輪を回転連動させることができ、しかし外輪が内輪を回転連動させることができない回転送り込み装置が設置されている。
【０００６】
好ましくは、前記ホットメルト接合チャンバの左右両側内壁にはそれぞれ左右に貫通した送り込み口が設置され、ホットメルトによる接合される給水管と管継手とがそれぞれ左側と右側の前記送り込み口を通して前記ホットメルト接合チャンバの中に伸びており、前記ホットメルト接合チャンバの下側端面にはグリップが固定的に連結されている。
【０００７】
上側の前記昇降駆動装置を例とし、前記昇降駆動装置は前記ホットメルト接合チャンバの上側内壁に固定的に連結された伸縮箱を含み、前記伸縮箱の中には下方に開口した伸縮チャンバが設置され、前記伸縮チャンバの中には長スライダがスライドできるように連結され、前記長スライダと前記伸縮チャンバの上側内壁との間には伸縮ばねが連結され、前記長スライダの下側端面には回転輪ロッドが固定的に連結され、前記回転輪ロッドの後側端面には前後方向に伸びる回転輪軸が回転できるように連結され、前記回転輪軸には前記回転輪ロッドの後側に位置している摩擦輪が固定的に連結され、前記長スライダの下側端面には前記回転輪ロッドの後側に位置している長ロッドが固定的に連結され、前記ホットメルト接合チャンバの後側内壁には前記長ロッドの下端と固定的に連結されたスライドモーターベースがスライドできるように連結され、前記ホットメルト接合チャンバの中には前後方向に伸びるモーター軸が回転できるように連結され、前記モーター軸には前記スライドモーターベースに固定的に連結されたモーターが動力が伝達できるように連結され、前記モーター軸には前記モーターの前側に位置しているギヤが固定的に連結され、前記モーター軸には前記ギヤと前記摩擦輪との間に位置している前記回転送り込み装置が設置されている。
【０００８】
上側の前記前方ソケット開閉装置を例とし、前記前方ソケット開閉装置は前記ホットメルト接合チャンバの上側内壁に固定的に連結され、且つ前記伸縮箱の右側に位置しているスライド台を含み、前記スライド台の下側端面と前記ラックスライダとがスライドできるように連結され、前記スライド台の下側端面には前記ラックスライダの左側に位置している復帰ブロックがスライドできるように連結され、前記復帰ブロックの左側端面と前記伸縮箱の右側端面との間には復帰ばねが連結され、前記ラックスライダの下側端面には固定ロッドが固定的に連結され、前記固定ロッドの中には下方に開口したスライドチャンバが設置され、前記スライドチャンバの中には伸縮ロッドがスライドできるように連結され、前記伸縮ロッドと前記スライドチャンバの上側内壁と間にはばねが連結され、前記伸縮ロッドの下端には前記ギヤと噛み合うように連結されたラックが固定的に連結され、前記スライド台と前記揺れロッドとが回転できるように連結され、且つ回転できるように連結されたところが前記ラックスライダの上側に位置しており、前記スライダロッドと前記揺れロッドの中端とがヒンジで連結され、前記スライド台の右側端面には外側ソケットロッドがスライドできるように連結され、前記外側ソケットロッドには前記揺れロッドとスライドできるように連結された回転ブロックがヒンジで連結され、前記外側ソケットロッドの下端には給水管にホットメルトを行える外側ホットメルトソケットが取り外されることができるように連結されている。
【０００９】
好ましくは、前記ばねと前記スライドチャンバとによって前記ラックが前記長スライダと共に上下に移動することを実現でき、それによって前記ラックが前記ギヤと始終噛み合っている。
【００１０】
上側前記後方ソケット開閉装置を例とし、前記後方ソケット開閉装置は前記ホットメルト接合チャンバの上側内壁に固定的に連結された昇降箱を含み、前記昇降箱の中には斜面がある斜面チャンバが設置され、前記斜面チャンバの上側内壁には上方に開口した位置制限孔が設置され、前記斜面チャンバの下側内壁には下方に開口したスライド溝が形成されており、前記斜面チャンバの下側端面と前記連動スライダとがスライドできるように連結され、前記連動スライダには回転ロッドがヒンジで連結され、前記回転ロッドのもう一端と前記外側ソケットロッドとがヒンジで連結され、且つヒンジで連結されたところが前記回転ブロックの上側に位置しており、前記連動スライダと前記コンロッドとがヒンジで連結されたところは前記回転ロッドと前記連動スライダとのヒンジで連結されたところの右側に位置しており、前記コンロッドのもう一端と前記スライダとがヒンジで連結され、前記スライダと前記斜面チャンバの下側内壁とがスライドできるように連結され、前記スライダの上側端面には回転棒状体が回転できるように連結され、前記回転棒状体と前記スライダとが回転できるように連結されたところにはトーションばねが設置され、前記スライダの下側端面には前記斜面チャンバの下側端面の外側に伸びており、且つ前記スライド溝とスライドできるように連結された内側ソケットロッドが固定的に連結され、前記内側ソケットロッドの下端には内側ホットメルトソケットが取り外されることができるように連結されている。
【００１１】
好ましくは、前記斜面チャンバの下側内壁は下側平面と、上側平面と、過渡斜面とによって構成され、それによって内側ホットメルトソケットが管継手から離脱した後に広がる動作を行い、前記回転棒状体が前記位置制限孔と当接できることによって前記内側ホットメルトソケットの移動を制限し、前記トーションバネが前記復帰ばねより硬い。
【００１２】
前記回転送り込み装置は前記モーター軸と固定的に連結され、且つ前記ギヤの前側に位置している駆動輪を含み、前記駆動輪の中には八つの歯止めチャンバが環状になるように配列され、前記歯止めチャンバの中には歯止めが回転できるように連結され、前記歯止めのうち対称中心に近接した片側と前記歯止めチャンバのうち中心に近接した片側内壁との間には引っ張りばねが連結され、前記回転輪軸には前記摩擦輪の後側に位置している回転輪が固定的に連結され、前記回転輪の中には後方に開口しており、且つ円柱形である回転輪チャンバが設置され、前記回転輪には八つの後方に開口しており、且つ前記回転輪チャンバと連通している歯型溝が環状になるように形成されている。
【００１３】
好ましくは、前記駆動輪が回転する時、遠心力が前記歯止めを前記歯止めチャンバの外部に位置するまで回転させ、且つ前記歯型溝と当接させ、それによって前記回転輪を回転連動させ、前記駆動輪が静止状態にある時、前記回転輪が回転して前記歯止めと当接できなく、その故、前記駆動輪を回転連動させることができない。
【発明の効果】
【００１４】
本発明の有益な効果は：本発明は手持ち式の家庭用のＰＰＲ給水管の自動でホットメルト接合設備であり、設備の内部に加熱鋳型を設置することによって、作業員にやけどをするリスクを減少し、管具を加熱し終わった後、自動的に管具差し込み連結装置を始動して複合回転輪によって加熱された給水管と管継手とを速く回転させないで差し込んで連結し、鋳型離脱装置と管具差し込み連結装置とが連動し、それによって給水管と管継手とを差し込んで連結する過程に、鋳型離脱装置は鋳型を連動させて自動的に給水管と管継手とから離れさせ、それによって鋳型が差し込んで連結する過程を止めることを避け、従って、本発明は家庭用の給水管を自動的にホットメルトで接合することを実現でき、それによって作業員の経験への要求を下げ、効果的に作業員にやけどをするリスクを減少し、同時にホットメルト接合の質の安定性を高める。
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の手持ち式の家庭用のＰＰＲ給水管の自動でホットメルト接合設備の全体構造略図
【図２】図２は図１の「ＡーＡ」方向の構造略図
【図３】図３は図１の「ＢーＢ」方向の構造略図
【図４】図４は図２の「ＣーＣ」方向の構造略図
【図５】図５は図１の「ＤーＤ」方向の構造略図
【図６】図６は図１の「Ｅ」のところの構造拡大略図
【図７】図７は図１の「Ｆ」のところの構造拡大構造略図
【発明を実施するための形態】
【００１７】
本発明は手持ち式の家庭用のＰＰＲ給水管の自動でホットメルト接合設備に関わり、主に家庭用のＰＰＲ給水管を自動的にホットメルト接合することに応用され、下記に本発明付図を合わせて本発明にさらなる説明を行う：
本発明に説明した手持ち式の家庭用のＰＰＲ給水管の自動でホットメルト接合設備は、ホットメルト接合箱１１を含み、前記ホットメルト接合箱１１の中にはホットメルト接合チャンバ１２が設置され、前記ホットメルト接合チャンバ１２の中には給水管を挟め、且つ給水管を管継手と接合することができる二つの昇降駆動装置１０１が上下対称的に設置され、前記ホットメルト接合チャンバ１２の中には上下対称であり、且つ前記昇降駆動装置１０１の右側に位置している二つの前方ソケット開閉装置１０２が設置され、前記前方ソケット開閉装置１０２は前記ホットメルト接合チャンバ１２の中にスライドできるように連結されたラックスライダ３４と、前記ラックスライダ３４にヒンジで連結されたスライダロッド３５と、前記スライダロッド３５にヒンジで連結された揺れロッド３３と、前記ラックスライダ３４が左右にスライドすることによって前記スライダロッド３５と前記揺れロッド３３とを回転連動させることによって前方ソケットの開閉動作を実現し、前記ホットメルト接合チャンバ１２の中には上下対称であり、且つ前記前方ソケット開閉装置１０２の右側に位置している二つの後方ソケット開閉装置１０３が設置され、前記後方ソケット開閉装置１０３は前記ホットメルト接合チャンバ１２の中にスライドできるように連結された連動スライダ１９と、前記連動スライダ１９にヒンジで連結されたコンロッド１６と、前記コンロッド１６にヒンジで連結されたスライダ１５と、前記連動スライダ１９が左右にスライドすることによって前記コンロッド１６を通して前記スライダ１５を左右にスライド連動させて後方ソケットの開閉動作を実現し、前記昇降駆動装置１０１の中には内輪が外輪を回転連動させることができ、しかし外輪が内輪を回転連動させることができない回転送り込み装置１０４が設置されている。
【００１８】
有益なように、前記ホットメルト接合チャンバ１２の左右両側内壁にはそれぞれ左右に貫通した送り込み口３１が設置され、ホットメルトによる接合される給水管と管継手とがそれぞれ左側と右側の前記送り込み口３１を通して前記ホットメルト接合チャンバ１２の中に伸びており、前記ホットメルト接合チャンバ１２の下側端面にはグリップ１３が固定的に連結されている。
【００１９】
実施例によって、以下、昇降駆動装置１０１について詳しく説明し、上側の前記昇降駆動装置１０１を例とし、前記昇降駆動装置１０１は前記ホットメルト接合チャンバ１２の上側内壁に固定的に連結された伸縮箱２４を含み、前記伸縮箱２４の中には下方に開口した伸縮チャンバ２２が設置され、前記伸縮チャンバ２２の中には長スライダ２５がスライドできるように連結され、前記長スライダ２５と前記伸縮チャンバ２２の上側内壁との間には伸縮ばね２３が連結され、前記長スライダ２５の下側端面には回転輪ロッド２６が固定的に連結され、前記回転輪ロッド２６の後側端面には前後方向に伸びる回転輪軸２８が回転できるように連結され、前記回転輪軸２８には前記回転輪ロッド２６の後側に位置している摩擦輪４８が固定的に連結され、前記長スライダ２５の下側端面には前記回転輪ロッド２６の後側に位置している長ロッド４４が固定的に連結され、前記ホットメルト接合チャンバ１２の後側内壁には前記長ロッド４４の下端と固定的に連結されたスライドモーターベース４１がスライドできるように連結され、前記ホットメルト接合チャンバ１２の中には前後方向に伸びるモーター軸４３が回転できるように連結され、前記モーター軸４３には前記スライドモーターベース４１に固定的に連結されたモーター４２が動力が伝達できるように連結され、前記モーター軸４３には前記モーター４２の前側に位置しているギヤ３０が固定的に連結され、前記モーター軸４３には前記ギヤ３０と前記摩擦輪４８との間に位置している前記回転送り込み装置１０４が設置されている。
【００２０】
実施例によって、以下、前方ソケット開閉装置１０２について詳しく説明し、上側の前記前方ソケット開閉装置１０２を例とし、前記前方ソケット開閉装置１０２は前記ホットメルト接合チャンバ１２の上側内壁に固定的に連結され、且つ前記伸縮箱２４の右側に位置しているスライド台２１を含み、前記スライド台２１の下側端面と前記ラックスライダ３４とがスライドできるように連結され、前記スライド台２１の下側端面には前記ラックスライダ３４の左側に位置している復帰ブロック５９がスライドできるように連結され、前記復帰ブロック５９の左側端面と前記伸縮箱２４の右側端面との間には復帰ばね５８が連結され、前記ラックスライダ３４の下側端面には固定ロッド４７が固定的に連結され、前記固定ロッド４７の中には下方に開口したスライドチャンバ４６が設置され、前記スライドチャンバ４６の中には伸縮ロッド３２がスライドできるように連結され、前記伸縮ロッド３２と前記スライドチャンバ４６の上側内壁と間にはばね４５が連結され、前記伸縮ロッド３２の下端には前記ギヤ３０と噛み合うように連結されたラック２７が固定的に連結され、前記スライド台２１と前記揺れロッド３３とが回転できるように連結され、且つ回転できるように連結されたところが前記ラックスライダ３４の上側に位置しており、前記スライダロッド３５と前記揺れロッド３３の中端とがヒンジで連結され、前記スライド台２１の右側端面には外側ソケットロッド３６がスライドできるように連結され、前記外側ソケットロッド３６には前記揺れロッド３３とスライドできるように連結された回転ブロック３７がヒンジで連結され、前記外側ソケットロッド３６の下端には給水管にホットメルトを行える外側ホットメルトソケット３８が取り外されることができるように連結されている。
【００２１】
有益なように、前記ばね４５と前記スライドチャンバ４６とによって前記ラック２７が前記長スライダ２５と共に上下に移動することを実現でき、それによって前記ラック２７が前記ギヤ３０と始終噛み合っている。
【００２２】
実施例によって、以下、後方ソケット開閉装置１０３について詳しく説明し、上側前記後方ソケット開閉装置１０３を例とし、前記後方ソケット開閉装置１０３は前記ホットメルト接合チャンバ１２の上側内壁に固定的に連結された昇降箱５５を含み、前記昇降箱５５の中には斜面がある斜面チャンバ１４が設置され、前記斜面チャンバ１４の上側内壁には上方に開口した位置制限孔１８が設置され、前記斜面チャンバ１４の下側内壁には下方に開口したスライド溝１７が形成されており、前記斜面チャンバ１４の下側端面と前記連動スライダ１９とがスライドできるように連結され、前記連動スライダ１９には回転ロッド２０がヒンジで連結され、前記回転ロッド２０のもう一端と前記外側ソケットロッド３６とがヒンジで連結され、且つヒンジで連結されたところが前記回転ブロック３７の上側に位置しており、前記連動スライダ１９と前記コンロッド１６とがヒンジで連結されたところは前記回転ロッド２０と前記連動スライダ１９とのヒンジで連結されたところの右側に位置しており、前記コンロッド１６のもう一端と前記スライダ１５とがヒンジで連結され、前記スライダ１５と前記斜面チャンバ１４の下側内壁とがスライドできるように連結され、前記スライダ１５の上側端面には回転棒状体５６が回転できるように連結され、前記回転棒状体５６と前記スライダ１５とが回転できるように連結されたところにはトーションばね５７が設置され、前記スライダ１５の下側端面には前記斜面チャンバ１４の下側端面の外側に伸びており、且つ前記スライド溝１７とスライドできるように連結された内側ソケットロッド３９が固定的に連結され、前記内側ソケットロッド３９の下端には内側ホットメルトソケット４０が取り外されることができるように連結されている。
【００２３】
有益なように、前記斜面チャンバ１４の下側内壁は下側平面と、上側平面と、過渡斜面とによって構成され、それによって内側ホットメルトソケット４０が管継手から離脱した後に広がる動作を行い、前記回転棒状体５６が前記位置制限孔１８と当接できることによって前記内側ホットメルトソケット４０の移動を制限し、前記トーションバネ５７が前記復帰ばね５８より硬く、それによって前記回転棒状体５６と前記位置制限孔１８とが当接した後、前記トーションバネ５７が前記ラックスライダ３４を押して装置全体を復帰させることができなく、前記外側ホットメルトソケット３８と前記内側ホットメルトソケット４０を取り外して入れ替えることによって、異なる直径の給水管と対応して連結できる。
【００２４】
実施例によって、以下、回転送り込み装置１０４について詳しく説明し、前記回転送り込み装置１０４は前記モーター軸４３と固定的に連結され、且つ前記ギヤ３０の前側に位置している駆動輪５０を含み、前記駆動輪５０の中には八つの歯止めチャンバ５２が環状になるように配列され、前記歯止めチャンバ５２の中には歯止め５３が回転できるように連結され、前記歯止め５３のうち対称中心に近接した片側と前記歯止めチャンバ５２のうち中心に近接した片側内壁との間には引っ張りばね５４が連結され、前記回転輪軸２８には前記摩擦輪４８の後側に位置している回転輪２９が固定的に連結され、前記回転輪２９の中には後方に開口しており、且つ円柱形である回転輪チャンバ４９が設置され、前記回転輪２９には八つの後方に開口しており、且つ前記回転輪チャンバ４９と連通している歯型溝５１が環状になるように形成されている。
【００２５】
有益なように、前記駆動輪５０が回転する時、遠心力が前記歯止め５２を前記歯止めチャンバ５２の外部に位置するまで回転させ、且つ前記歯型溝５１と当接させ、それによって前記回転輪２９を回転連動させ、前記駆動輪５０が静止状態にある時、前記回転輪２９が回転して前記歯止め５２と当接できなく、その故、前記駆動輪５０を回転連動させることができない。
【００２６】
以下、図１〜７を合わせて本出願の手持ち式の家庭用のＰＰＲ給水管の自動でホットメルト接合設備の使用ステップを詳しく説明する：
【００２７】
はじめの時、上下両側の外側ホットメルトソケット３８と内側ホットメルトソケット４０とが閉められ、スライダ１５が右側の限界位置にあり、通電する時に外側ホットメルトソケット３８と内側ホットメルトソケット４０とを作動温度に加熱する。
【００２８】
作動の時、連結される給水管を左側の送り込み口３１を通して外側ホットメルトソケット３８の内壁に差し込んで連結し、連結される管継手を右側の送り込み口３１を通して内側ホットメルトソケット４０の端面に差し込んで連結し、設定の時間を過ぎた後、モーター４２を起動させ、モーター４２がモーター軸４３によってギヤ３０を回転連動させ、ギヤ３０がラック２７を左方へ移動連動させ、ラック２７が伸縮ロッド３２と固定ロッド４７とによってラックスライダ３４を左方へ移動連動させ、ラックスライダ３４がスライダロッド３５と、揺れロッド３３と、回転ブロック３７とを対称中心から離れた側へ回転連動させ、回転ブロック３７が外側ソケットロッド３６と外側ホットメルトソケット３８とをスライド台２１の右側端面に沿って対称中心から離れた側へ移動連動させ、外側ソケットロッド３６が回転ロッド２０によって連動スライダ１９を左方へ移動連動させ、連動スライダ１９がコンロッド１６によってスライダ１５を左方へ移動連動させ、スライダ１５が内側ホットメルトソケット４０を連動させて管継手の内チャンバから出して対称中心から離れた側へ移動させ、同時にモーター４２がモーター軸４３によって駆動輪５０を回転連動させ、駆動輪５０が歯止め５３によって回転輪２９を回転連動させ、それによって加熱された給水管を右方へ移動連動させて管継手に差し込んで連結し、ホットメルト接合作業が完成し、同時にスライダ１５が左側の限界位置に移動し、また回転棒状体５６が位置制限孔１８と当接して前記ホットメルト接合チャンバ１２の端面の外側に伸び、作業員は回転棒状体５６がホットメルト接合チャンバ１２の外側に伸びるか否かを観察することによってホットメルト接合が完成するか否かを判断でき、ホットメルト接合が完成した後、作業員は給水管に沿ってホットメルト接合装置を給水管から取り出すことができ、回転棒状体５６を回して回転棒状体５６を位置制限孔１８から離脱させ、復帰ばね５８が復帰ブロック５９によってラックスライダ３４を右方へ移動連動させ、それによって装置全体は復帰する。
【００２９】
本発明の有益な効果は：本発明は手持ち式の家庭用のＰＰＲ給水管の自動でホットメルト接合設備であり、設備の内部に加熱鋳型を設置することによって、作業員にやけどをするリスクを減少し、管具を加熱し終わった後、自動的に管具差し込み連結装置を始動して複合回転輪によって加熱された給水管と管継手とを速く回転させないで差し込んで連結し、鋳型離脱装置と管具差し込み連結装置とが連動し、それによって給水管と管継手とを差し込んで連結する過程に、鋳型離脱装置は鋳型を連動させて自動的に給水管と管継手とから離れさせ、それによって鋳型が差し込んで連結する過程を止めることを避け、従って、本発明は家庭用の給水管を自動的にホットメルトで接合することを実現でき、それによって作業員の経験への要求を下げ、効果的に作業員にやけどをするリスクを減少し、同時にホットメルト接合の質の安定性を高める。
【００３０】
上記の方式によって、当業者は本発明の範囲内で作動モードに基づいて様々な変わりを行える。